(57)【要約】本発明は、記録ヘッドを複数のセクションに分割する。各セクションは、１つのセクションが、データ・チャネルの１つのサブセットだけに読取りおよび書き込みを行うように配置されているチャネルの全数のサブセットにアクセスする。上記セクションは、粗（データ・バンド）および精密（トラック追跡）位置決めの両方のために個々に作動することもできるし、精密トラック追跡のための個々の精密位置決めアクチュエータによる、データ・バンド位置決め用の共通のアクチュエータによりリンクすることもできる。
2005529438.tif 000002
【特許請求の範囲】
【請求項１】
複数のデータ・チャネル用の読取り／書込みヘッド・アセンブリであって、
第１のヘッド・セクションと、
第２のヘッド・セクションと、を備え、
前記第１のヘッド・セクションが、前記複数のデータ・チャネルの第１のサブセットにアクセスし、
前記第２のヘッド・セクションが、前記複数のデータ・チャネルの第２のサブセットにアクセスし、
前記第１のヘッド・セクションおよび第２のヘッド・セクションが、データ・チャネルの前記第１のサブセット、および同時にデータ・チャネルの前記第２のサブセットにアクセスするために整合する読取り／書込みヘッド・アセンブリ。
【請求項２】
前記第１のヘッド・セクションおよび前記第２のヘッド・セクションのうちの少なくとも一方が、三突起ヘッド・セクションである、請求項１に記載の読取り／書込みヘッド・アセンブリ。
【請求項３】
前記三突起ヘッド・セクションが、読取り／書込み／読取り構成および書込み／読取り／書込み構成のうちの一方を備える、請求項２に記載の読取り／書込みヘッド・アセンブリ。
【請求項４】
前記第１のヘッド・セクションおよび前記第２のヘッド・セクションのうちの少なくとも一方が、二突起ヘッド・セクションである、請求項１に記載の読取り／書込みヘッド・アセンブリ。
【請求項５】
前記二突起ヘッド・セクションが、２つの併合電極モジュールを備える、請求項４に記載の読取り／書込みヘッド・アセンブリ。
【請求項６】
前記第１のヘッド・セクションが、前記複数のデータ・チャネルの前記第１のサブセットにデータを書き込み、前記第２のヘッド・セクションが、前記複数のデータ・チャネルの前記第２のサブセットにデータを書き込む、請求項１に記載の読取り／書込みヘッド・アセンブリ。
【請求項７】
前記第１のヘッド・セクションおよび前記第２のヘッド・セクションが、データの書込み後読取り確認を行う、請求項６に記載の読取り／書込みヘッド・アセンブリ。
【請求項８】
前記複数のデータ・チャネルの前記第１のサブセットおよび前記複数のデータ・チャネルの前記第２のサブセットがインタリーブしている、請求項１に記載の読取り／書込みヘッド・アセンブリ。
【請求項９】
第３のヘッド・セクションをさらに備え、前記第３のヘッド・セクションが、前記複数のデータ・チャネルの第３のサブセットにアクセスする、請求項１に記載の読取り／書込みヘッド・アセンブリ。
【請求項１０】
データ記録システムであって、
読取り／書込みヘッドを備え、前記読取り／書込みヘッドが、
第１のヘッド・セクションと、
第２のヘッド・セクションと
アクチュエータと、を含み、
前記第１のヘッド・セクションが、データ・チャネルの第１のサブセットにアクセスし、
前記第２のヘッド・セクションが、データ・チャネルの第２のサブセットにアクセスし、
前記アクチュエータが、データ・チャネルの前記第１のサブセットおよびデータ・チャネルの前記第２のサブセットに同時にアクセスするように、前記読取り／書込みヘッドを位置決めするデータ記録システム。
【請求項１１】
データ・チャネルの前記第１のサブセットおよびデータ・チャネルの前記第２のサブセットが、同じデータ・バンド内に位置する、請求項１０に記載のデータ記録システム。
【請求項１２】
前記アクチュエータが、
前記読取り／書込みヘッドを前記データ・バンドに整合する粗位置決めアクチュエータと、
前記データ・バンド内のデータ・チャネルの前記第１のサブセットにアクセスするように、前記第１のヘッド・セクションを整合する第１の精密位置決めアクチュエータと、
前記データ・バンド内のデータ・チャネルの前記第２のサブセットにアクセスするように、前記第２のヘッド・セクションを整合する第２の精密位置決めアクチュエータと、
を備える、請求項１１に記載のデータ記録システム。
【請求項１３】
データ・チャネルの前記第１のサブセットおよびデータ・チャネルの前記第２のサブセットが、インタリーブしている、請求項１１に記載のデータ記録システム。
【請求項１４】
データ・チャネルの前記第１のサブセットが、第１のデータ・バンド内に位置していて、データ・チャネルの前記第２のサブセットが、第２のデータ・バンド内に位置する、請求項１０に記載のデータ記録システム。
【請求項１５】
前記アクチュエータが、
前記第１のデータ・バンド内のデータ・チャネルの前記第１のサブセットにアクセスするように、前記第１のヘッド・セクションを整合する第１の精密位置決めアクチュエータと、
前記第２のデータ・バンド内のデータ・チャネルの前記第２のサブセットにアクセスするように、前記第２のヘッド・セクションを整合する第２の精密位置決めアクチュエータと、
を備える、請求項１４に記載のデータ記録システム。
【請求項１６】
複数のデータ・チャネルにアクセスするための方法であって、
前記複数のデータ・チャネルの第１のサブセットにアクセスするように、第１のヘッド・セクションを整合するステップと、
前記複数のデータ・チャネルの第２のサブセットにアクセスするように、第２のヘッド・セクションを整合するステップと、を含み、
前記第１のヘッド・セクションおよび第２のヘッド・セクションが、データ・チャネルの前記第１のサブセットおよびデータ・チャネルの前記第２のサブセットに同時にアクセスする方法。
【請求項１７】
前記第１のヘッド・セクションが、前記複数のデータ・チャネルの前記第１のサブセットにデータを書き込み、前記第２のヘッド・セクションが、前記複数のデータ・チャネルの前記第２のサブセットにデータを書き込む、請求項１６に記載の方法。
【請求項１８】
前記第１のヘッド・セクションおよび前記第２のヘッド・セクションが、データの書込み後読取り確認を行う、請求項１７に記載の方法。
【請求項１９】
前記複数のデータ・チャネルの前記第１のサブセットおよび前記複数のデータ・チャネルの前記第２のサブセットがインタリーブしている、請求項１６に記載の方法。
【請求項２０】
前記複数のデータ・チャネルの第３のサブセットにアクセスするために、第３のヘッド・セクションに整合するステップをさらに含む、請求項１６に記載の方法。
【発明の詳細な説明】
【技術分野】
【０００１】
本発明は、概して、磁気ヘッド設計のためのアセンブリ、システムおよび方法に関する。特に、本発明は、高トラック密度のフレキシブル媒体記憶用途用の複数のヘッド・セクションを有するヘッド・アセンブリを分割する。
【背景技術】
【０００２】
読取り／書込みヘッドは、磁気テープ上のデータを読み取ったり書き込んだりするデバイスである。テープの表面は、読取り／書込みヘッドの上を移動する。データは書込みヘッドにより書き込まれる。書込みヘッドは、狭いギャップ、すなわち、「書込みギャップ」により分離している書込み電極からなる高透磁率磁気コアの周囲に巻かれた書込みコイルからなる。電流がコイルを流れると、この電流はコア材料を磁化する磁界を発生する。次に、この磁界は、書込みギャップを通して移動する時に、磁気記録媒体を磁化する磁界を書込みギャップ内に発生する。コイル内の電流の極性を切り替えることにより、データを、磁気記録媒体内に記録された異なる磁化の領域として媒体内に記憶することができる。記憶したデータ・ビットに対応する対向記録磁化領域は、記録媒体が読取り／書込みヘッド上を逆方向に移動する場合、読取りセンサにより検出される。高トラック密度テープ用の読取り／書込みヘッドは、通常、複数のデータ・チャネルを同時に書込みまたは読み取る。
【０００３】
データ処理能力は、読取り／書込みヘッド上のチャネルの数を増大することにより増大することができる。しかし、並列データ・チャネルの数を増大すると、ヘッド製造技術は、有意のニーズを満たさなければならなくなる。データ・チャネルの数を増大すると、フレックス剛性、フレックスが運ぶ読取り／書込み電流の量、およびフレックスのサイズが増大するために、必要な導体の数が増えるのでヘッドは厄介なものになる。それ故、データ処理能力を改善するために、ヘッドの製造および手におえないヘッド・アセンブリを正確に整合するロジスティックスの障害を克服しなければならなくなる。
【発明の開示】
【発明が解決しようとする課題】
【０００４】
それ故、強化されたデータ処理能力を有する改善された読取り／書込みヘッド設計を使用できれば有利である。
【課題を解決するための手段】
【０００５】
本発明は、複数のセクションを含むヘッド設計を提供する。各セクションは、ヘッド用のデータ・チャネルのサブセットを含む。サブセットは、必要なチャネルの全数の多重因数であってもよい。セクションは、独立して作動するものであっても、共通のアクチュエータと整合しているものであってもよい。
【０００６】
本発明の特徴と思われる新規な機能は、添付の特許請求の範囲に記載してある。しかし、発明自身は、およびその好適な使用方法、他の目的および利点は、添付の図面を参照しながら、例示としての実施形態の下記の詳細な説明を読めば最もよく理解することができるだろう。
【発明を実施するための最良の形態】
【０００７】
図面、特に図１について説明すると、この図は、本発明を実施することができる多重セクション読取り／書込みヘッドの図面である。多重セクション読取り／書込みヘッド１００は、セクションＡ１０２、セクションＢ１０４、および位置決めアクチュエータ１１０、１１２を有するヘッド・アセンブリである。ヘッド・セクションＡおよびＢは、それぞれフレックスとも呼ばれるフレックス・ケーブル１０６および１０８により接続している。ヘッド・アセンブリは、ヘッド・セクションに分割されているので、フレックスもそれに応じて分割されている。フレックス１０６および１０８は、読取り／書込みヘッド・アセンブリに読取りバイアスおよび書込み電流を供給する導体からなる。位置決めアクチュエータ１１０および１１２は、セクションをテープ上の読取りまたは書込みトラックと整合させる。
【０００８】
図１の実施形態は、アーキテクチャ上の制限を意味するものではない。例えば、図１の装置は、もっと多くのセクションを含むことができる。ヘッド・セクションの位置は、１つの組合わせとしてまたは個々に作動させることができる。さらに、各ヘッド・セクションは、２つ以上のフレックスを有することができる。例えば、各セクションは、三突起設計に対して３つのフレックス、または二突起設計に対して２つのフレックスを有することができる。
【０００９】
ヘッド・アセンブリ、構造およびフレックス・レイアウトは非常に簡単なものになっている。そのためいくつかの重要な利点を有する。第一に、モジュール当たりのトラックの数を低減することができ、それによりフレックス導体の数を少なくすることができる。第二に、各セクション上の読取り／書込み素子（データ・チャネル）の数が少ないので、クリープまたは延びにより媒体の寸法が変化した場合、オフ・トラック・マージンを得る。最後に、この設計は、駆動グループの使用可能期間を通して拡張性を有する。何故なら、ヘッド当たりのチャネルの数を、製造およびアセンブリの操作性を過度に犠牲にしなくても、セクションを追加することにより増大することができるからである。
【００１０】
図２Ａ〜図２Ｃについて説明すると、これらの図は、本発明の好ましい実施形態による例示としての多重ヘッド構成を示す。ヘッド・アセンブリは、データ記憶媒体にデータが正しく書き込まれたことを確認するために、別々の読取りおよび書込み素子を使用することができる。これは「書込み後読取り」と呼ばれる。データが書き込まれた後で、データが確認のために読み取られる。何らかの欠陥のあるブロックが発見された場合には、データが再度書き込まれる。データ記憶デバイスまたはテープ上の欠陥の数が多く、これらのデバイスは露出しているので、書込み後読取りは好適な方法である。より詳細に説明すると、図２Ａおよび図２Ｂは、三突起構成を示し、一方、図２Ｃは、併合電極構成を示す。
【００１１】
書込み後読取りは、３つのモジュールが、読取り／書込み／読取り構成または書込み／読取り／書込み構成で配置されている「三突起」設計により行うことができる。すなわち、三突起設計を使用すれば、テープの走行方向とは無関係に、データを書き込み、順次読み取ることができる。
【００１２】
より詳細に説明すると、図２Ａは、読取り／書込み／読取り構成を示す。セクション２０２は、読取り／書込み／読取り配置２１２を含み、セクション２０４も、読取り／書込み／読取り配置２１４を含む。読取りおよび／または書込みデバイスは、ウェハ上で製造され、このウェハは、次に個々のヘッド・モジュールにダイシングされ、それぞれのヘッド・モジュールは、図２Ａに示すように、「ヘッド突起」を形成するために組み立てられる。例えば、配置２１２は、セクション２０２を形成するために一緒に結合している読取りモジュール、書込みモジュール、および読取りモジュールを備えることができる。各ウェハ片または「突起」は、読取り素子または書込み素子の行またはラインである。同様に、配置２１４はセクション２０４を形成する。
【００１３】
図２Ｂについて説明すると、この図は、書込み／読取り／書込み構成を示す。セクション２２２は、書込み／読取り／書込み配置２３２を含み、セクション２２４は、読取り／書込み／読取り配置２３４を含む。例えば、配置２１２は、セクション２２２を形成するために一緒に結合している書込みモジュール、読取りモジュール、および書込みモジュールを備えることができる。同様に、配置２３４はセクション２２４を形成する。
【００１４】
現在、「三突起」設計は、３つのウェハ間で複雑な整合を必要とする３つの別々のモジュールのヘッド・アセンブリを含む。ヘッド上で第３のモジュールを正しく整合するには、追加のプロセスおよび再加工時間が必要になる場合がある。さらに、三突起設計で別々の３つの読取りおよび書込みフレックスの経路指定をするのは非常に難しい。この状況が現在の状況である。何故なら、読取りおよび書込みフレックスをその個々のコネクタにリード線で接続するために、ヘッド構造で、フレックスを相互に非常に接近させて経路指定しなければならないからである。
【００１５】
対照的に、このタイプのヘッド・アーキテクチャは、１回の重要な整合動作を行うだけですみ、そのためアセンブリが簡単になり、時間が短縮できるので、併合電極タイプのヘッド構造を使用する「二突起」設計は多くの利点を有する。併合電極タイプのヘッド構造の場合には、読取り素子および書込み素子は同じウェハ上で製造される。そのため、ウェハ上の素子を、読取りまたは書込みを行うために使用することができる。それ故、テープの走行方向により、読取り／書込み構成、または書込み／読取り構成を形成するために、２つの併合電極モジュールを一緒に結合することができる。ヘッド当たり２つのフレックスしかないので、フィードスルーを最小限度に短縮するために、３つのフレックスを比較的簡単に経路指定することができる。
【００１６】
図２Ｃについて説明すると、この図は併合電極構成を示す。セクション２４２は、併合電極配置２５２を含み、セクション２４４は、併合電極配置２５４を含む。例えば、配置２５２は、セクション２４２を形成するために、一緒に結合している併合電極読取り／書込み素子の２つのウェハを備えることができる。各ウェハは、そのセクション用のデータ・チャネルに対応する読取り／書込み素子の列を含むように製造することができる。同様に、配置２５４は、セクション２４４を形成する。
【００１７】
併合電極読取り／書込み素子は、読取りまたは書込みのために使用することができる。それ故、各配置２５２、２５４は、書込み後読取りを行うために、テープの走行方向により、読取り／書込みまたは書込み／読取り用に使用することができる。
【００１８】
図２Ａ〜図２Ｃに示す実施形態はアーキテクチャを制限するものではない。本発明の範囲から逸脱することなしに、他の読取り／書込み素子製造技術を使用することができる。例えば、各セクションは、書込み後読取りを使用しないで、１つの読取りモジュールおよび１つの書込みモジュールを備えることができる。もう１つの例の場合には、各セクションは、書込み後読取りを使用しないで、１つの併合電極読取り／書込みモジュールまたはウェハを備えることができる。
【００１９】
データは、媒体上に「トラック」として記録される。各トラックは、別々の書込み素子によりテープの縦方向に書き込まれ、書込み後読取りにより個々の読取りセンサにより読み取られる。各素子への／からの書込みおよび読取り信号は、１つのデータ「チャネル」を形成し、その素子が媒体の幅を横切ってどこに置かれるかにより、各チャネル内のデータを媒体上に記録した任意のトラックへ書き込むこともできるし、または読み取ることもできる。
【００２０】
しかし、媒体上に同時に書き込んだり、読み取ったりすることができるデータ・チャネルの数は、ヘッド・アセンブリの操作性に悪影響を与えないで、ヘッド上で製造、構成および整合することができるデータ・チャネルの数により制限される。本発明の好ましい実施形態によれば、データ・チャネルの数は、データ・チャネルをサブセットに分割し、各セクションが、データ・チャネルのサブセットをそれぞれ読み取ったり書き込んだりする多重セクション・ヘッドを供給することにより増大する。
【００２１】
図３Ａ〜図３Ｃは、本発明の好ましい実施形態による多重セクション・ヘッド・アセンブリの例示としてのデータ・チャネル構成を示す。より詳細に説明すると、図３Ａは、データ・チャネルが、２つのセクション間でインタリーブしている構成を示す。データ・チャネルの数（Ｎ）は、２つのセクション、すなわち、セクションＡおよびセクションＢに分割される。セクションＡは、チャネル０，２，４，．．．，Ｎ−２を読み取ったり、および／または書き込んだりするように整合していて、セクションＢは、チャネル１，３，５，．．．，Ｎ−１を読み取ったり、および／または書き込んだりするように整合している。
【００２２】
インタリーブしている構成の場合には、ヘッド・セクションの整合の際に高い精度が必要になる。しかし、整合の際の信頼性が妥当なものであるならば、インタリーブした構成を使用した場合、ヘッド上の読取り／書込み素子の密度を増大しなくても、ヘッド・アセンブリはもっと狭いデータ・トラックに書き込んだり読み取ったりすることができる。
【００２３】
図３Ｂについて説明すると、この図は、データ・チャネルが２つのセクションに分割されている例示としての構成を示す。データ・チャネルの数（Ｎ）は、２つのセクション、セクションＡおよびセクションＢに分割される。セクションＡは、チャネル０〜ｋ−１を読み取ったり、および／または書き込んだりするように整合していて、セクションＢは、チャネルｋ〜Ｎ−１を読み取ったり、および／または書き込んだりするように整合している。
【００２４】
データ・チャネルは、単に等しく分割して、等しいサブセットにすることができる。すなわち、ｋをＮ／２に等しくすることができる。実際の数字を使用すると、２４のデータ・チャネルを２つの１２のチャネル・セクションにより読み取ったりおよび／または書き込んだりすることができる。しかし、他の構成も使用することができる。例えば、同じ１２のチャネル・セクションの場合には、チャネル０〜１１を読み取ったり、および／または書き込んだりするために整合しているセクションＡにより、２０のデータ・チャネルを読み取ったりおよび／または書き込んだりすることができ、セクションＢは、チャネル１２〜１９を読み取ったりおよび／または書き込んだりするために整合している。通常の当業者であれば、データ・チャネルを読み取ったりおよび書き込んだりするためのセクションの他の構成も、本発明の範囲内で使用することができることを理解することができるだろう。
【００２５】
図３Ｃは、もう１つの例としてのデータ・チャネルが３つのセクションに分割されている構成を示す。データ・チャネルの数（Ｎ）は、３つのセクション、セクションＡ、セクションＢおよびセクションＣに分割される。セクションＡは、チャネル０〜ａ−１を読み取ったり、および／または書き込んだりするように整合していて、セクションＢは、チャネルａ〜ｂ−１を読み取ったりおよび／または書き込んだりするように整合していて、セクションＣは、チャネルｂ〜Ｎ−１を読み取ったりおよび／または書き込んだりするように整合している。
【００２６】
この場合も、データ・チャネルは、単に等しく分割して等しいサブセットにすることができる。すなわち、ａをＮ／３に、ｂを２Ｎ／３に等しくすることができる。実際の数字を使用すると、２４のデータ・チャネルを、２つの１２のチャネル・セクションにより読み取ったりおよび／または書き込んだりすることができる構成を、第３の１２のチャネル・セクションを追加することにより、３６のデータ・チャネルを読み取ったりおよび／または書き込んだりするように拡張することができる。通常の当業者であれば、データ・チャネルを読み取ったりおよび書き込んだりするためのセクションの他の構成も本発明の範囲内で使用することができることを理解することができるだろう。
【００２７】
図４Ａ〜図４Ｃについて説明すると、これらの図面は、本発明の好ましい実施形態による多重セクション・ヘッド・アセンブリを含む例示としてのデータ・バンド構成を示す。より詳細に説明すると、図４Ａは、インタリーブしている構成を示す。テープは４つのデータ・バンドを含む。読取り／書込み突起により、巻き戻しのために時間を無駄にしないように、テープ・ドライブを二方向に駆動することができる。すなわち、テープを順方向または逆方向に送りながらデータを書き込むことができる。図の例の場合には、バンド１およびバンド３を順方向に読み取ったりまたは書き込んだりすることができ、バンド２およびバンド４を逆方向に読み取ったりまたは書き込んだりすることができる。
【００２８】
粗位置決めアクチュエータ４１４が、複数のセクションを一緒に整合する。図４Ａの例の場合には、粗位置決めアクチュエータ４１４は、データ・バンド２を読み取ったりおよび／または書き込んだりするために、ヘッド・セクションＡおよびヘッド・セクションＢを整合する。精密位置決めアクチュエータ４１２は、独立して、データ・バンド２内の適当なデータ・チャネルを読み取ったりおよび／または書き込んだりするためにヘッド・セクションを整合する。
【００２９】
図４Ａの例は粗位置決めアクチュエータおよび精密位置決めアクチュエータを含んでいるが、ヘッド・セクションを整合するための他の技術も使用することができる。例えば、インタリーブしているデータ・チャネルを読み取るために、セクションＡおよびセクションＢを整合し、永久に一緒に結合することができる。この場合、ヘッド・アセンブリを、１つのアクチュエータと整合することができる。別の方法としては、粗位置決めアクチュエータを除去して、ヘッド・セクションを完全に独立状態で適当なデータ・バンドおよびデータ・チャネルに整合することができる。
【００３０】
図４Ｂについて説明すると、この図は、セクションＡおよびセクションＢが、同じデータ・バンド内の異なるデータ・チャネルを読み取る多重ヘッド構成を示す。ある実施形態の場合には、粗位置決めアクチュエータは、バンド３内のデータを読み取ったりおよび／または書き込んだりするために、ヘッド・セクションと整合していて、精密位置決めアクチュエータは、データ・バンド３内の適当なデータ・チャネルを読み取ったりおよび／または書き込んだりするためにセクションを整合している。しかし、通常の当業者であれば、ヘッド・セクションを整合するための他の技術も使用することができることを理解することができるだろう。
【００３１】
次に図４Ｃについて説明すると、この図は、異なるデータ・バンドまで延びる２つのセクション読取り／書込みヘッドの図面である。この例の場合には、セクションＡおよびセクションＢは、同時に異なるデータ・バンドにアクセスすることができる。本発明の好ましい実施形態の場合には、データ・バンドが同じ方向にアクセスすることができる限りは、各セクションは、異なるデータ・バンドに同時に個々に延びることができる。例えば、セクションＡは、テープの底部のところに位置するデータ・バンド２まで延びることができ、一方、セクションＢは、データ・バンド４にアクセスするように整合している。図４Ｃの例の場合には別々の独立している位置決めアクチュエータにより、ヘッド・セクションを整合することができる。
【００３２】
図５Ａおよび図５Ｂについて説明すると、これらの図面は、本発明の好ましい実施形態による多重セクション・ヘッド・アセンブリの動作を示すフローチャートである。より詳細に説明すると、図５Ａは、別々の粗位置決めアクチュエータおよび精密位置決めアクチュエータを含むヘッド・アセンブリの動作を示す。プロセスがスタートし、粗位置決めアクチュエータにより、適当なデータ・バンドにヘッド・アセンブリを整合する（ステップ５０２）。次に、プロセスは、精密位置決めアクチュエータにより適当なデータ・チャネルにヘッド・セクションを整合し（ステップ５０４）、読取りまたは書込み動作を行い（ステップ５０６）、プロセスは終了する。
【００３３】
図５Ｂは、粗位置決めアクチュエータを使用しないで、ヘッド・セクションを完全に別々に整合するヘッド・アセンブリの動作を示す。プロセスがスタートし、適当なデータ・バンドおよび／またはデータ・チャネルにヘッド・セクションを整合する（ステップ５５２）。ヘッド・セクションを、同じまたは異なるデータ・バンドに整合することができる。別の方法としては、ヘッド・セクションを、データ・バンド内のインタリーブしている、または別々のデータ・チャネルに整合することができる。その後で、プロセスは、読取りまたは書込み動作を行い（ステップ５５４）、プロセスは終了する。
【００３４】
それ故、本発明は、多重セクション・ヘッド・アセンブリを提供することにより、従来技術の欠点を克服する。ヘッド製造技術の限界を打破しなくても、増大する数のデータ・チャネルを読み取ったりおよび／または書き込んだりするために、ヘッド・セクションを整合することができる。各ヘッド・セクションは、もっと少ない数のデータ・チャネルにアクセスするように構成される。ヘッド・セクションの質量が低減し、フレックスの剛性が低減するので、サーボ・アクチュエータは、ヘッド・セクションをもっと楽に位置決めすることができる。さらに、この設計は拡張することができる。何故なら、ヘッド・セクションを追加することにより、読取りまたは書込み中のデータ・チャネルの数を増大することができるからである。
【００３５】
本発明の上記記述は、図示および説明のためのものであり、本発明を余すところなく説明するためのものでもなければ、本発明を開示の説明に制限するためのものでもない。通常の当業者であれば、多くの修正および変更を思い付くことができるだろう。実施形態は、本発明の原理、実際の適用をもっともよく説明するために、通常の当業者が、考えられる特殊な用途に適するように種々に修正した種々の実施形態について、本発明を理解することができるように選択し、記述した。
【図面の簡単な説明】
【００３６】
【図１】本発明を実施することができる多重セクション読取り／書込みヘッドの図面である。
【図２】本発明の好ましい実施形態による例示としての多重ヘッド構成を示す図面である。
【図３】本発明の好ましい実施形態による多重セクション・ヘッド・アセンブリの例示としてのデータ・チャネル構成を示す図面である。
【図４】本発明の好ましい実施形態による多重セクション・ヘッド・アセンブリを含む例示としてのデータ・バンド構成を示す図面である。
【図５】本発明の好ましい実施形態による多重セクション・ヘッド・アセンブリの動作を示すフローチャートである。
【図１】
2005529438.tif 000003
【図２】
2005529438.tif 000004
【図３】
2005529438.tif 000005
【図４】
2005529438.tif 000006
【図５】
2005529438.tif 000007
【国際調査報告】
2005529438.tif 000008
2005529438.tif 000009